【手続補正書】
【提出日】平成20年2月8日(2008.2.8)
【手続補正１】
【補正対象書類名】特許請求の範囲
【補正対象項目名】全文
【補正方法】変更
【補正の内容】
【特許請求の範囲】
【請求項１】
リモート格納されたファイルへのアクセスを提供するための方法であって、
ユーザ装置の識別子を受け取ること、
前記識別子に関連付けられる少なくとも一つのファイルソースに接触すること、及び
前記ファイルソースから少なくとも一つの最近アクセスされたファイルのリストを生成すること、
を含む方法。
【請求項２】
ファイルを印刷するオプションを前記ユーザ装置に提供することをさらに含む、請求項１に記載の方法。
【請求項３】
前記ファイルソースからファイルを取り出すことをさらに含む、請求項１に記載の方法。
【請求項４】
少なくとも一つの最近アクセスされたファイルのリストを前記生成することが、前記ファイルソースにある少なくとも一つの最近アクセスされたファイルのリストを受け取ることを含む、請求項１に記載の方法。
【請求項５】
少なくとも一つの最近アクセスされたファイルのリストを前記生成することが、
前記ファイルソースに格納されたファイルの最後のアクセス時間を読み出すことと、
最後のアクセス時間に従ってファイルを選択することと、
を含む、請求項１に記載の方法。
【請求項６】
少なくとも一つの最近アクセスされたファイルのリストを前記生成することが、
前記ユーザ装置が実行可能なアプリケーションを決定することと、
前記アプリケーションに関連付けられる少なくとも一つのファイルのリストを前記ファイルソースから受け取ることと、
を含む、請求項１に記載の方法。
【請求項７】
ファイルのコピーへの変更を受け取ることと、
前記ファイルのコピーをファイルソースに伝送することと、
をさらに含む、請求項１に記載の方法。
【請求項８】
リモート格納されたファイルへのアクセスを提供するためのシステムであって、
ユーザ装置から識別子を受け取るように構成されたクライアントインタフェースと、
ファイル選択ジェネレータと
を備え、前記ファイル選択ジェネレータが、
前記識別子に関連付けられる少なくとも一つのファイルソースと接触し、かつ
前記ファイルソースから少なくとも一つの最近アクセスされたファイルのリストを生成する、
ように構成されて成るシステム。
【請求項９】
前記クライアントインタフェースがさらに、ファイルを表示するオプションを前記ユーザ装置に提示するように構成された、請求項８に記載のシステム。
【請求項１０】
最近アクセスされたファイルのリストが一番最近に作成されたファイルのリストを含む、請求項９に記載のシステム。
【請求項１１】
少なくとも一つの最近アクセスされたファイルのリストを生成することが、前記ファイルソースにある少なくとも一つの最近アクセスされたファイルのリストを受け取ることを含む、請求項９記載のシステム。
【請求項１２】
少なくとも一つの最近アクセスされたファイルのリストを生成することが、
前記ファイルソースに格納されたファイルの最後のアクセス時間を読み出すことと、
最後のアクセス時間に従ってファイルを選択することと、
を含む、請求項９に記載のシステム。
【請求項１３】
少なくとも一つの最近アクセスされたファイルのリストを生成することが、
ユーザが利用可能なアプリケーションを決定することと、
前記アプリケーションに関連付けられる少なくとも一つのファイルのリストを前記ファイルソースから受け取ることと、
を含む、請求項８に記載のシステム。
【請求項１４】
前記クライアントインターフェースがファイルのコピーへの変更を受け取るように構成された、請求項８に記載のシステム。
【請求項１５】
リモート格納されたファイルへのアクセスを提供するためにプロセッサを制御するためのコンピュータ実行可能命令を含む、コンピュータ可読媒体に格納されたコンピュータプログラム製品であって、前記命令が
ユーザから識別子を受け取ることと、
前記識別子に関連付けられる少なくとも一つのファイルソースに接触することと、
前記ファイルソースから少なくとも一つの最近アクセスされたファイルのリストを生成することと、
を含んで成るコンピュータプログラム。
【請求項１６】
ファイルへのアクセスを提供するためのシステムであって、
ファイルおよび少なくとも一つの最近アクセスされたファイルのリストを格納するファイルサーバと、
アクセスサーバと、
を含み、
前記アクセスサーバが、
ユーザ装置から識別子を受け取り、
前記識別子の受取りに応答して前記ファイルサーバに接触し、かつ
前記ファイルサーバから前記少なくとも一つの最近アクセスされたファイルのリストを取り出す
ように構成されて成るシステム。
【請求項１７】
ユーザ装置が複数のファイルソースからファイルにアクセスしかつ管理する処理を実行可能にするための方法であって、
前記ユーザ装置から識別子を受け取ることと、
少なくとも二つのファイルソースに接触することと、
前記少なくとも二つのファイルソースから最近アクセスされたファイルの統合リストを生成することと、
を含む方法。
【請求項１８】
ユーザ装置が複数のファイルソースのファイルにアクセスしかつ管理する処理を実行可能にするためにプロセッサを制御してアクセスを提供するためのコンピュータ実行可能命令を含む、コンピュータ可読媒体に格納されたプログラムであって、前記命令が
前記ユーザ装置から識別子を受け取ることと、
少なくとも二つのファイルソースに接触することと、
前記少なくとも二つのファイルソースから最近アクセスされたファイルの統合リストを生成することと、
を含んで成るコンピュータプログラム。
【手続補正２】
【補正対象書類名】明細書
【補正対象項目名】００２７
【補正方法】変更
【補正の内容】
【００２７】
請求項１５に記載のプログラムを、コンピュータコード命令が、ユーザのシステムまたは別の場所にファイルを転送するオプションをユーザに提供することをさらに含むことを特徴とするコンピュータプログラムとしてもよい。
【手続補正３】
【補正対象書類名】明細書
【補正対象項目名】００２８
【補正方法】変更
【補正の内容】
【００２８】
請求項１５に記載のプログラムを、少なくとも一つの最近アクセスされたファイルの前記リストが、一番最近変更されたファイルのリストを含むことを特徴とするコンピュータプログラムとしてもよい。
【手続補正４】
【補正対象書類名】明細書
【補正対象項目名】００２９
【補正方法】変更
【補正の内容】
【００２９】
請求項１５に記載のプログラムを、少なくとも一つの最近アクセスされたファイルのリストを生成することが、前記ファイルソースにある少なくとも一つの最近アクセスされたファイルのリストを受け取ることを含むことを特徴とするコンピュータプログラムとしてもよい。
【手続補正５】
【補正対象書類名】明細書
【補正対象項目名】００３０
【補正方法】変更
【補正の内容】
【００３０】
請求項１５に記載のプログラムを、少なくとも一つの最近アクセスされたファイルのリストを生成することが、前記ファイルソースに格納されたファイルの最後のアクセス時間を読み出すことと、最後のアクセス時間に従ってファイルを選択することと、を含むことを特徴とするコンピュータプログラムとしてもよい。
【手続補正６】
【補正対象書類名】明細書
【補正対象項目名】００３１
【補正方法】変更
【補正の内容】
【００３１】
請求項１５に記載のプログラムを、少なくとも一つの最近アクセスされたファイルのリストを生成することが、ユーザ装置が利用可能なアプリケーションを決定することと、前記アプリケーションに関連付けられる少なくとも一つのファイルのリストを前記ファイルソースから受け取ることと、を含むことを特徴とするコンピュータプログラムとしてもよい。
【手続補正７】
【補正対象書類名】明細書
【補正対象項目名】００３２
【補正方法】変更
【補正の内容】
【００３２】
請求項１５に記載のプログラムを、前記命令が、ファイルのコピーへの変更を受け取ることと、前記ファイルのコピーを前記ファイルソースに伝送することと、をさらに含むことを特徴とするコンピュータプログラムとしてもよい。
【手続補正８】
【補正対象書類名】明細書
【補正対象項目名】００３３
【補正方法】変更
【補正の内容】
【００３３】
請求項１６に記載の発明は、ファイルへのアクセスを提供するためのシステムであって、ファイルおよび少なくとも一つの最近アクセスされたファイルのリストを格納するファイルサーバと、アクセスサーバと、を含み、前記アクセスサーバが、ユーザ装置から識別子を受け取り、前記識別子の受取りに応答して前記ファイルサーバに接触し、かつ前記ファイルサーバから前記少なくとも一つの最近アクセスされたファイルのリストを取り出す
【手続補正９】
【補正対象書類名】明細書
【補正対象項目名】００３５
【補正方法】変更
【補正の内容】
【００３５】
請求項１６に記載のシステムを、前記アクセスサーバが、前記ファイルサーバから最近アクセスされたファイルを取り出すようにさらに構成されていることを特徴とするシステムとしてもよい。
【手続補正１０】
【補正対象書類名】明細書
【補正対象項目名】００３６
【補正方法】変更
【補正の内容】
【００３６】
請求項１６に記載のシステムを、前記アクセスサーバが、別の場所にファイルを電子メールで送信するオプションを前記ユーザ装置に提供するようにさらに構成されていることを特徴とするシステムとしてもよい。
【手続補正１１】
【補正対象書類名】明細書
【補正対象項目名】００３７
【補正方法】変更
【補正の内容】
【００３７】
請求項１６に記載のシステムを、前記ファイルサーバがアプリケーションに関連付けられる少なくとも一つの最近使用されたファイルのリストを格納することを特徴とするシステムとしてもよい。
【手続補正１２】
【補正対象書類名】明細書
【補正対象項目名】００３８
【補正方法】変更
【補正の内容】
【００３８】
請求項１７に記載の発明は、ユーザ装置が複数のファイルソースからファイルにアクセスしかつ管理する処理を実行可能にするための方法であって、前記ユーザ装置から識別子を受け取ることと、少なくとも二つのファイルソースに接触することと、前記少なくとも二つのファイルソースから最近アクセスされたファイルの統合リストを生成することと、を含むことを特徴とする方法である。
【手続補正１３】
【補正対象書類名】明細書
【補正対象項目名】００３９
【補正方法】変更
【補正の内容】
【００３９】
請求項１７に記載の方法を、前記統合されたリストのファイルをファックスで送信するオプションを前記ユーザ装置に提示することをさらに含むことを特徴とする方法としてもよい。
【手続補正１４】
【補正対象書類名】明細書
【補正対象項目名】００４０
【補正方法】変更
【補正の内容】
【００４０】
請求項１７に記載の方法を、前記ファイルソースからファイルを取り出すことをさらに含むことを特徴とする方法としてもよい。
【手続補正１５】
【補正対象書類名】明細書
【補正対象項目名】００４１
【補正方法】変更
【補正の内容】
【００４１】
請求項１７に記載の方法を、統合リストを前記生成することが、ファイルソースから最近使用されたファイルのリストを受け取ることを含むことを特徴とする方法としてもよい。
【手続補正１６】
【補正対象書類名】明細書
【補正対象項目名】００４２
【補正方法】変更
【補正の内容】
【００４２】
請求項１７に記載の方法を、統合リストを前記生成することが、前記ユーザ装置に利用可能なアプリケーションを決定することと、前記アプリケーションに関連付けられる少なくとも一つのフィルのリストをファイルソースから受け取ることと、を含むことを特徴とする方法としてもよい。
【手続補正１７】
【補正対象書類名】明細書
【補正対象項目名】００４３
【補正方法】変更
【補正の内容】
【００４３】
請求項１７に記載の方法を、最近アクセスされたファイルのリストを示す画像表示を含む開始画面を前記ユーザ装置に提示することをさらに含むことを特徴とする方法としてもよい。
【手続補正１８】
【補正対象書類名】明細書
【補正対象項目名】００４４
【補正方法】変更
【補正の内容】
【００４４】
請求項１８に記載の発明は、ユーザ装置が複数のファイルソースのファイルにアクセスしかつ管理する処理を実行可能にするためにプロセッサを制御してアクセスを提供するためのコンピュータ実行可能命令を含む、コンピュータ可読媒体に格納されたプログラムであって、前記命令が前記ユーザ装置から識別子を受け取ることと、少なくとも二つのファイルソースに接触することと、前記少なくとも二つのファイルソースから最近アクセスされたファイルの統合リストを生成することと、を含むことを特徴とするコンピュータプログラムである。
【手続補正１９】
【補正対象書類名】明細書
【補正対象項目名】００４５
【補正方法】変更
【補正の内容】
【００４５】
請求項１８に記載のプログラムを、コンピュータコード命令が、ファイルを表示するオプションを前記ユーザ装置に提供することをさらに含むことを特徴とするコンピュータプログラムとしてもよい。
【手続補正２０】
【補正対象書類名】明細書
【補正対象項目名】００４６
【補正方法】変更
【補正の内容】
【００４６】
請求項１８に記載のプログラムを、コンピュータコード命令が、ファイルソースからファイルを取り出すことをさらに含むことを特徴とするコンピュータプログラムとしてもよい。
【手続補正２１】
【補正対象書類名】明細書
【補正対象項目名】００４７
【補正方法】変更
【補正の内容】
【００４７】
請求項１８に記載のプログラムを、少なくとも一つの最近アクセスされたファイルのリストを生成することが、前記ユーザ装置において実行可能なアプリケーションを決定することと、前記アプリケーションに関連付けられる少なくとも一つのファイルのリストを前記ファイルソースから受け取ることと、を含むことを特徴とするコンピュータプログラムとしてもよい。
【手続補正２２】
【補正対象書類名】明細書
【補正対象項目名】００４８
【補正方法】変更
【補正の内容】
【００４８】
請求項１８に記載のプログラムを、前記命令が、ファイルのコピーへの変更を受け取ることと、前記ファイルのコピーをファイルソースに伝送することと、をさらに含むことを特徴とするコンピュータプログラムとしてもよい。
【手続補正２３】
【補正対象書類名】明細書
【補正対象項目名】００４９
【補正方法】変更
【補正の内容】
【００４９】
請求項１８に記載のプログラムを、前記命令が、統合リストを表示する開始画面を前記ユーザ装置に提示することをさらに含むことを特徴とするコンピュータプログラムとしてもよい。
【手続補正２４】
【補正対象書類名】明細書
【補正対象項目名】００５０
【補正方法】変更
【補正の内容】
【００５０】
請求項１８に記載のコンピュータプログラムを実行することを特徴とする装置としてもよい。